Podtech/llm-jp-corpus-v4-ja_patent huggingface dataset:
(57)【要約】【課題】紙・パルプ製造工程の水系にＦＦＣ原始活水器を取り付け、ＦＦＣ原始活水器が持つ水の還元作用を利用し、従来の製紙工業用水を還元作用のある水に変えることで、従来の製造方法を変えることなく、今までにない品質の紙・パルプを製造する方法である。また、紙加工製品においても加工段階においてＦＦＣパイロゲン及びＦＦＣ原始活水器の併用使用することにより、製品の高品質化や利用拡大を図ることができる。なお、製造後に排出される放流水においても、還元作用のエネルギーが残るため、放流場所すなわち、海・湖水・河川などの環境改善効果をもたらすことを目的とする。【解決手段】紙・パルプ製造工程水系にＦＦＣ原始活水器およびＦＦＣパイロゲンを使用する。【選択図】図２
2009293173.tif 000002
【特許請求の範囲】
【請求項１】
紙・パルプ製造工程中のＦＦＣ原始活水器取付使用による紙・パルプ製造方法。
【請求項２】
紙製造・紙加工工程におけるＦＦＣ原始活水器取付とＦＦＣパイロゲン使用による紙製造及び紙加工方法。
【発明の詳細な説明】
【０００１】ＦＦＣ原始活水器使用による紙・パルプ製造。
【０００２】ＦＦＣ原始活水器及びＦＦＣパイロゲンの利用による各種紙製品（紙おむつ・生理用品・ティシュー・キッチンタオル・ウェットティシュー等の家庭紙、包装用紙・段ボール原紙や出版・印刷用紙等）の品質改善。
【技術分野】
【０００３】紙・パルプ製造に係わる使用水分野全般。
【背景技術】
【０００４】従来の紙・パルプ製造工程における水の利用については、特殊な例としては純水の使用もあるが、ほとんどの場合使用されている水は河川・地下水・ダムなどの工業用水である。【０００５】本発明は、紙・パルプ製造工程水系においてＦＦＣ原始活水器及びＦＦＣパイロゲンを利用することにより、使用機器の汚染・腐食の抑制、製紙工程における薬品削減による生産性・経済性の向上、紙製品の品質向上、製紙排水による環境汚染の防止を図ることを目的とする。【０００６】
【非特許文献】本物の水ＦＦＣが地球を救う（吉川  潔著）
【０００７】
【非特許文献】驚異の蘇生革命（舟橋  淑行著）
【０００８】
【非特許文献】人と地球よ蘇れ（赤塚  充良著）
【発明の開示】
【発明が解決しようとする課題】
【０００９】製紙の製造設備の水系におけるスライムコントロール、ピッチコントロール、臭い及び金属腐食抑制等を図る。【００１０】製紙工程における薬品を削減させることにより、生産性及び経済性の向上を目的とする。【００１１】紙製品利用拡大及び品質向上を図る。【００１２】製紙排水である放流水による環境改善を図る。
【課題を解決するための手段】
【００１３】ＦＦＣ原始活水器の取付・使用。【００１４】ＦＦＣパイロゲン及びＦＦＣ原始活水器との併用。
【発明の効果】
【００１５】紙・パルプ製造工程におけるピッチ付着の抑制。【００１６】紙・パルプ製造工程におけるスライム増殖の抑制。【００１７】紙・パルプ製造工程における薬品使用量の削減。【００１８】紙・パルプ製造工程の水系における金属腐食の抑制及び錆の抑制と除去。【００１９】００１５、００１６項に伴うボイラーの熱効率向上、それに伴う燃料・電力の節減。【００２０】紙製品の結合水が変わることによる臭い・カビ等の抑制効果。【００２１】００２０項により、従来の製造紙製品と比較した鮮度保持効果の向上。【００２２】紙・パルプ製造後の放流水による環境改善作用。
【発明を実施するための最良の形態】
【００２３】この発明の一実施形態を参考例として図１、図２、図３、図４に示す。【００２４】図１
紙・パルプ製造工程全体におけるＦＦＣ原始活水器の活用図。［図４へ］【００２５】図２
貯水タンクＮｏ．１より、紙・パルプ製造工程への各箇所に直接給水される場合のＦＦＣ原始活水器取付図。【００２６】図３
紙・パルプ製造工程における給水箇所毎のＦＦＣ原始活水器活用図。［図４へ］【００２７】図４
紙・パルプ製造調整工程の搾水前段階及び抄紙工程でＦＦＣパイロゲン希釈液を使用することにより、００２０項、００２１項に記載した効果が図れる。
【図面の簡単な説明】
【００２８】
【図１】紙・パルプ製造工程全体におけるＦＦＣ活水器の活用図。※使用される水を最初に全て改善して供給する場合。
【００２９】
【図２】紙・パルプ製造工程におけるＦＦＣ活水器の使用位置を示す工程図。※使用される水をその場所ごとに改善して供給する場合。
【００３０】
【図３】紙・パルプ製造工程における給水箇所毎のＦＦＣ原始活水器活用図
【００３１】
【図４】搾水前段階及び抄紙工程でＦＦＣパイロゲン希釈液の使用位置を示す工程図
【図１】
2009293173.tif 000003
【図２】
2009293173.tif 000004
【図３】
2009293173.tif 000005
【図４】
2009293173.tif 000006
(57)【要約】      （修正有）【課題】女性のシートベルト着用時の他人の目の気になる事なく気軽にシートベルトが着用出来る様に考えた。【解決手段】女性のシートベルトの胸の谷間への食い込みをかくして問題を無くした。【選択図】図１
2009293175.tif 000002
【特許請求の範囲】
【請求項１】
自動車運転中又は同乗の時女性がシートベルトを着用する時胸の谷間にシートベルトが食い込み女性が他人の目が気になり羞恥心が出る．体の前面胸部当りに取り付けその問題を解消しようとしてレディースカーパットが考案された取り付けは肩かけ、首かけ方式。
【発明の詳細な説明】
【技術分野】
【０００１】この発明は女性のシートベルトの着用時の問題を解決しようとするもの
【有景技術】
【０００２】従来は他人の目を気にしながらシートベルトを着用していた
【発明の開示】
【０００３】シートベルトを従来のまま着用していると乳房が女性は大きい為に乳房と乳房の間にシートベルトが食込む為に女性自身が不愉快な気持になっていた
その気持を解消する為に考えたものである
【発明の効果】
【０００４】女性が他人の目を気にせず気軽にシートベルトを着用出来る
【図１】
2009293175.tif 000003
【図２】
2009293175.tif 000004
【手続補正書】
【提出日】平成20年8月7日(2008.8.7)
【手続補正１】
【補正対象書類名】明細書
【補正対象項目名】全文
【補正方法】変更
【補正の内容】
【発明の詳細な説明】
【技術分野】
【０００１】この発明は女性のシートベルト着用時の問題を解決しようとするもの
【有景技術】
【０００２】従来は他人の目を気にしながらシートベルトを着用していた
【発明の開示】
【０００３】シートベルトを従来のまま着用していると乳房が女性は大きい為に乳房と乳房の間にシートベルトが食込む為に女性自身が不愉快な気持になっていたその気持を解消する為に考えたものである
【発明の効果】
【０００４】女性が他人の目を気にせず気軽にシートベルトを着用出来る
【図面の簡単な説明】
【０００５】
【図１】本発明の正面図、平面図、側面図、である
【図２】本発明の車に乗った時の着用図である
(57)【要約】【課題】従来、デニム等の布の脱色文様は、高度な技術を要求されていた。【解決手段】エアーブラシ（エアースプレー）等に脱色剤を詰めて、デニム等の布にスプレーすれば、誰でも簡単に文様をほどこすことが可能になる。【選択図】図１
2009293172.tif 000002
【特許請求の範囲】
【請求項１】
エアーブラシ（エアースプレー）等で、デニム（Ｇパン）等の布に脱色文様をほどこす。
【発明の詳細な説明】
【技術分野】
【０００１】本発明は、デニム等の布に簡単に脱色文様をほどこすことに関する
【発明の開示】
【発明が解決しようとする課題】
【０００２】本来脱色文様は、大変高度な技術が要求された。
【課題を解決するための手段】
【０００３】エアーブラシ（エアースプレー）によって脱色すれば、誰でも簡単に脱色文様がほどこせる。
【発明を実施するための最良の形態】
【０００４】エアーブラシに、ブリーチ等の脱色剤を詰めて、作りたい文様をスプレーする。
【図面の簡単な説明】
【０００５】
【図１】エアーブラシで、文様をつける
【図１】
2009293172.tif 000003
(57)【要約】【課題】病気治療等による脱毛、及び薄毛の人に、また手軽にスタイルチェンジが出来るヘアーバンド型つけ毛を提供する。【解決手段】伸縮性のある綿生地等からなるヘアーバンドの表面にゴム帯を設け、取り付け帯の表面に人工毛髪の先端を固定し、取り付け帯の裏面にかつらクリップを複数設け、かつらクリップをゴム帯に着脱自在に取り付けることが出来ることを特徴とする、ヘアーバンド型つけ毛。【選択図】図１
2009293169.tif 000002
【特許請求の範囲】
【請求項１】
伸縮性のある綿生地等からなるヘアーバンドの表面にゴム帯を設け、取り付け帯の表面に人工毛髪の先端を固定し、取り付け帯の裏面にかつらクリップを複数設け、かつらクリップをゴム帯に着脱自在に取り付けることが出来ることを特徴とする、ヘアーバンド型つけ毛。
【発明の詳細な説明】
【技術分野】
【０００１】  本発明は病気治療等による脱毛、及び薄毛の人に、また手軽にスタイルチェンジが出来るヘアーバンド型つけ毛に関するものである。
【背景技術】
【０００２】  従来はかつらを装着するとき、まずネットをかぶり、その上にかつらを装着する。又、帽子本体につけ毛をつけている発明や、ヘアーバンドや、リボン、テープに直接縫い付けて固定している発明が知られている。（特許文献１）（特許文献２）
【特許文献１】  特開２０００−３５５８１３号公報
【特許文献２】  登録実用新案第３１３０３６３号公報
【発明の開示】
【発明が解決しようとする課題】
【０００３】  従来より次のような問題点があった。
（イ）人毛等によるかつらは高価なため、闘病中の人などには経済的負担が大きい。
（ロ）ネットをつけて、かつらを装着する場合は頭皮が蒸れて、不快感やネットによる圧迫感がある。
（ハ）毛髪部分は汗や皮脂によって汚れる頻度は少ないが、帽子やヘアーバンド、リボン等の直接肌にふれている部分は汚れる頻度も多いので、衛生面でも洗濯の回数が増える。
（ニ）かつらは洗うことにより、つけ毛の形状がくずれやすくなる。
（ホ）つけ毛が帽子等に縫い付けてある場合、他の帽子への取替えがきかない。
（ヘ）ヘアーバンド、リボン、テープ等に縫い付けて固定してあるものは、色々なバリエーションのつけ毛を、容易に替えることができない。
本発明は以上の問題点を解決しようとするものである。
【課題を解決するための手段】
【０００４】  伸縮性のある綿生地等からなるヘアーバンドの表面にゴム帯を設ける。取り付け帯の表面に人工毛髪の先端を固定し、取り付け帯の裏面にかつらクリップを複数設ける。かつらクリップをゴム帯に、着脱自在に取り付ける。本発明は以上の構成からなる、ヘアーバンド型つけ毛である。
【発明の効果】
【０００５】  少量の毛髪で作れるため、材料費を少なくできて、経済的負担が軽減できる。又頭に装着したときネットによる圧迫感がなくなり、通気性もよく、不快感も軽減できる。つけ毛の着脱が簡単な為、頭皮に直接あたるバンド等のみの洗濯が可能である。又帽子を替えたり、人工毛髪部分の長さ、スタイルを変えることにより、色々なおしゃれを楽しむことが出来る。
【発明を実施するための最良の形態】
【０００６】  以下、本発明の実態の形態を説明する。
（イ）伸縮性のある綿生地等からなる輪状のヘアーバンド（１）の表面に、細幅の輪状のゴム帯（２）を設ける。
（ロ）横長状の取り付け帯（４）の表面に、人工毛髪（３）の先端を固定する。
（ハ）横長状の取り付け帯（４）の裏面に、かつらクリップ（５）を複数設ける。
（ニ）ゴム帯（２）にかつらクリップ（５）を着脱自在に掛止する。
本発明は以上の構成からなる。
本発明を使用するときは、ヘアーバンド（１）の表面のゴム帯（２）にかつらクリップ（５）を利用して人工毛髪（３）を取り付け、次にヘアーバンド（１）を頭に装着する。
なお、人工毛髪は、図５にあるように前方のみに毛髪をつけた場合（イ）や、後髪のみの場合（ロ）、前髪と後髪を合わせた（ハ）のような使用方法が出来る。
【図面の簡単な説明】
【０００７】
【図１】本発明の斜視図
【図２】本発明の要部の斜視図
【図３】本発明の要部の斜視図
【図４】本発明の断面図
【図５】本発明の使用状態を示す斜視図  （イ）前髪のみの場合  （ロ）後髪のみの場合  （ハ）前髪と後髪の場合
【符号の説明】
【０００８】１  伸縮生地等のヘアーバンド
２  ゴム帯
３  毛髪
４  取り付け帯
５  かつらクリップ
【図１】
2009293169.tif 000003
【図２】
2009293169.tif 000004
【図３】
2009293169.tif 000005
【図４】
2009293169.tif 000006
【図５】
2009293169.tif 000007
(57)【要約】【課題】従来のガレージは、ガレージの上方に駐車している場合でも、屋根を設けていなかったり、屋根が設けられていても左右前後が空いたままであったので、雨や太陽光を直接受け、自動車の外的消耗、特に塗料の劣化を早める原因になると共に、外的な障害を予防する事が出来なかった。【解決手段】屋根板１１０と、その屋根板１１０の左右および前後を左側板１１１−１と右側板１１１−２およびと前方板１１２−１と後方板１１２−２とで３方向を閉塞して自動車２全体を覆うことのできるボックス形状のガレージ筐体１１をガレージ上方に形成してその筐体１１内に自動車２を収容し駐車する。【選択図】  図９
2009293232.tif 000002
【特許請求の範囲】
【請求項１】
六面方向のうち底面を除く五面など周辺を閉塞し底面を開け、前記底面を上下させて下から上に上げる事により六面を閉塞し底面を下げる事により下面を空けると同時にこの面から自動車等搭載物を下から前へ取り出す事を特徴とする六方遮蔽ガレージ。
【発明の詳細な説明】
【技術分野】
【０００１】
本発明はガレージに関する。
【背景技術】
【０００２】
公知のガレージは六方を囲えなかった。すなわち、図１に示すようにまわり五方がオープンの駐車場であったり、図２に示すようにリフト式でも周り五方がオープンであり、また図３の如く屋根３５のみ設けられていて四方がオープンであった。また図４の如く一般ガレージでも五方が囲まれていても一方はシャッタ３４などあるが開放されていた。
【発明の開示】
【発明が解決しようとする課題】
【０００３】
従来は、六方がクローズしているガレージを得る事が出来なかった。
【課題を解決するための手段】
【０００４】
本発明による六方遮蔽ガレージは、あらかじめ五方をクローズにした底板のない箱状のカバーを設け、車をのせた台を下から上へ上げて底板として下からフタを閉めるガレージである。
【発明の効果】
【０００５】
本発明による六方遮蔽ガレージは、ガレージの入口が無いので自動車を雨やほこりや太陽光から六方から完全に保護できるため、車やメカや塗装の劣化を防ぐ事ができると共に、ガレージの入り口がないので犯人など外からの破損の保護をする防犯ができる。またシャッターがないので故障や騒音がなくコストダウンになる。
また本発明ガレージに収容駐車した状態では、下の空間が開くので、その空間に自転車、バイク、自動車等駐車することができるほか、人の通り抜け通行路として使用出来、土地の空間を有効に活用することができる。
【発明を実施するための最良の形態】
【０００６】
本発明の六方遮蔽ガレージの最良の形態は、底のない五面体をつくり移動する底板に車をのせて下から上げて六面体とし、下の空間は他の車を駐車又は歩行路となる。出車する場合は底板を下げて出車する。
【実施例】
【０００７】
次に、本発明の実施例について、図面を参照して説明する。図１は公知の駐車場で空地１０は車を駐車するもので雨にぬれる。図２は公知のリフト式駐車場で雨にぬれる。図３は公知のリフト式で屋根をつけたもので側面からの雨にぬれる。図４は、一般の屋根つきのガレージでこれも側面からの雨にぬれる。図５は本発明ガレージで底１３が開いた五面１１０、１１１−１、１１１−２、１１２−１、１１２−２で囲まれた側面図である。図６は図５における正面図である。図７は本発明ガレージに車を入れこれを持ち上げて底のフタをした側面図である。図８は図７における正面図である。
詳述すると、本発明による六方遮蔽ガレージは、ガレージ支柱１２−１，１２−２と、自動車２を載せて駐車する自動車載置台１３と、自動車載置台１３に固着される牽引ボルト１４と、牽引ボルト１４に結わえ付けられ滑車３１を介して図示していない電動モータにより自動車載置台１３を自動車２ごと牽引する牽引ワイヤ３２を有するガレージ昇降機構３とから構成される。
自動車２を載置した自動車載置台１３は、自動車２ごと牽引ワイヤ３２によりガレージ支柱１２−１，１２−２に沿って上方に摺動して持ち上げる。
この実施例では、自動車載置台１３を持ち上げるのに、ガレージ昇降機構３により牽引ワイヤ３２によって吊し上げることにより行っているが、他の方法として図示はしていないが、自動車載置台１３の下方から油圧など他のガレージ押上機構等により押し上げる手段によって行っても良い。
自動車載置台１３の下側は自動車２を持ち上げた分の高さ空間ができるため、その空間に図示していない自転車やバイクあるいは他の自動車等、直ぐに移動し易い物を置くことができ、また歩行者の通り抜け通路になりガレージ土地を立体的に二重に有効に活用することができる。これは二層だけでなく三層、四層としても本発明に含まれるものである。六面閉塞でなく、六面以下の閉塞でも本発明に含まれるものである。また閉塞形状とか上下機構とかも種々の変化したものも本発明に含まれるものである。
【図面の簡単な説明】
【０００８】
【図１】公知の空地の駐車場の側面図である。
【図２】公知のリフト式駐車場の側面図である。
【図３】公知の屋根付リフト式駐車場の側面図である。
【図４】公知の屋根付駐車場の側面図である。
【図５】本発明の一実施例を示す六方遮蔽ガレージの駐車収納前の状態を示す側面図である。
【図６】同実施例の正面図である。
【図７】本発明の一実施例を示す六方遮蔽ガレージの駐車収納後の状態を示す側面図である。
【図８】同実施例の正面図である。
【図９】本発明の一実施例を示す六方遮蔽ガレージの駐車収納前の状態を示す外観図である。
【符号の説明】
【０００９】
１      六方遮蔽ガレージ
１０    空地
１１    ガレージ筐体
１１０    屋根板
１１１−１    前方側板
１１１−２    後方側板
１１２−１    左側板  
１１２−２    右側板
１２−１      ガレージ支柱
１２−２      ガレージ支柱
１３       自動車搭載台
１４    牽引ボルト
１５    ガレージ土台
１６    屋根
２      自動車
３      ガレージ昇降機構
３１    滑車
３２    牽引ワイヤ
３３    牽引ボルト
３４    シャッタ
３５    屋根
【図１】
2009293232.tif 000003
【図２】
2009293232.tif 000004
【図３】
2009293232.tif 000005
【図４】
2009293232.tif 000006
【図５】
2009293232.tif 000007
【図６】
2009293232.tif 000008
【図７】
2009293232.tif 000009
【図８】
2009293232.tif 000010
【図９】
2009293232.tif 000011
(57)【要約】【課題】  従来のシャックルは小型の物でも、ピンの取り付け取り外しには工具が必要であった。【解決手段】  本発明の金具をピンに取り付けることにより、ある程度の大きさのシャックルならば、十分に手で取り付け、取り外しが可能となり、工具の持ち運びもなくなって、落下防止、紛失防止に役に立つ。【選択図】図３
2009293792.tif 000002
【特許請求の範囲】
【請求項１】
シャックルのピンを回して取り付け、取り外しをするときに、ペンチ、プライヤ−等の工具を使用しなくても、手で楽に取り付け、取り外しが出来るようにした金具。
【発明の詳細な説明】
【技術分野】
【０００１】  本発明はシャックルに関する。
【背景技術】
【０００２】  従来のシャックルはピンの取り付け、取り外しの時ペンチ、プライヤ−等の工具がないと、脱落等の危険性があった。
【発明の開示】
【発明が解決しようとする課題】
【０００３】  従来の小型のシャックルでは、ピンの取り付け、取り外しには工具が必要であったが、ピンに本金具を取り付けることにより、ある程度の大きさまでのシャックルでは、工具を使わなくても手で取り付け、取り外しが可能となる。
【課題を解決するための手段】
【０００４】  本発明は上記目的を達成するために金具をピンに取り付けることによって、工具を使わずに取り付け、取り外しの作業が出来る。
【発明の効果】
【０００５】  上述したように本発明の金具は、手で取り付け、取り外しを目的としているのでそのための工具を使わず、工具の持参も必要としない。また、落下防止、紛失等も改善される。
【発明を実施するための最良の形態】
【０００６】  以下、本発明の実施の形態を図１〜図４に基づいて説明する。【０００７】  図において、１はシャックル本体に金具を取り付けた状態、２はピンに金具を取り付けた状態、３は金具の平面図、４は金具Ａ−Ｂのカット側面図である。【０００８】  図２のようにピンに金具を取り付け、それをシャックル本体と組み上げて図１のようにする。【０００９】  図３のような金具をピンに取り付けることにより、ペンチ、プライヤ−等の工具を使用しなくても簡単に手回しで取り付け、取り外しが出来て、工具の持ち運びも不要である。その他落下防止及び紛失防止にもなる。
【図面の簡単な説明】
【００１０】
【図１】  シャックルに金具を取り付けた全体図
【図２】  シャックルピンに金具を取り付けた状態
【図３】  金具の平面図
【図４】  図３Ａ−Ｂのカット側面図
【符号の説明】
【００１１】  １  シャックル
２  シャックルピン
３  取り付け金具
【図１】
2009293792.tif 000003
【図２】
2009293792.tif 000004
【図３】
2009293792.tif 000005
【図４】
2009293792.tif 000006